(57)【要約】【課題】複数の読取部を有するマルチコードリーダでは、独立に２種類の読取部を駆動させて例えば１つのバーコードを読ませた場合、タイミングによっては、２種類の読取部の両方でバーコードを読み取ってしまう場合がある。【解決手段】各々独立して情報の読み取りを行う第１の読取部および第２の読取部と、前記第１の読取部および前記第２の読取部で読み取った情報を記憶する記憶部と、前記記憶部に記憶されている前記第１の読取部で読み取った情報と前記第２の読取部で読み取った情報とを比較する比較部とを備え、前記記憶部に記憶されている前記第１の読取部で読み取った情報と前記第２の読取部で読み取った情報とが一致するか否かを検出し、一致する情報の一方を削除。【選択図】図１
2005301720.tif 000002
【特許請求の範囲】
【請求項１】
各々独立して情報の読み取りを行う第１の読取部および第２の読取部と、前記第１の読取部および前記第２の読取部で読み取った情報を記憶する記憶部と、前記記憶部に記憶されている前記第１の読取部で読み取った情報と前記第２の読取部で読み取った情報とを比較する比較部とを備え、前記記憶部に記憶されている前記第１の読取部で読み取った情報と前記第２の読取部で読み取った情報とが一致するか否かを検出する情報読取装置。
【請求項２】
記憶部に記憶されている第１の読取部で読み取った情報と第２の読取部で読み取った情報とが一致した場合に情報の読み取りを終了する請求項１記載の情報読取装置。
【請求項３】
記憶部に記憶されている第１の読取部で読み取った情報と第２の読取部で読み取った情報とが一致した場合に、一致したことを報知する報知部を備えた請求項１または２記載の情報読取装置。
【請求項４】
記憶部に記憶されている一致した情報の内一方の情報の削除の指示を行う削除指示入力部と、前記削除指示入力部による指示に基づいて前記記憶部に記憶されている情報を削除する制御部とを備えた請求項１から３のいずれか１項に記載の情報読取装置。
【請求項５】
記憶部に記憶される情報を削除する制御部を備え、前記制御部は、前記記憶部に記憶されている第１の読取部で読み取った情報と第２の読取部で読み取った情報とが一致した場合に、前記記憶部に記憶されている一致した情報の内一方の情報を自動で削除する請求項１から３のいずれか１項に記載の情報読取装置。
【請求項６】
記憶部に記憶されている第１の読取部で読み取った情報と第２の読取部で読み取った情報の内どちらの情報を削除するかを設定する設定部を備えた請求項４または５記載の情報読取装置。
【請求項７】
時間情報を計時する計時部と、所定の時間間隔情報を保存する所定時間保存部とを備え、制御部は、第１の読取部および第２の読取部で読み取った情報に前記計時部で計時した時間情報を付して記憶部に記憶し、さらに、制御部は、第１の読取部で読み取った情報に付された時間情報と第２の読取部で読み取った情報に付された時間情報との差を演算し、この差が前記所定時間保存部に記憶されている所定の時間間隔以内である場合は記憶部に記憶されている情報の削除を行い、所定の時間間隔を超える場合は記憶部に記憶されている情報の削除を行わない請求項４から６のいずれか１項に記載の情報読取装置。
【請求項８】
所定時間保存部に記憶する所定の時間間隔情報を任意に設定可能とした請求項７記載の情報読取装置。
【請求項９】
第１の読取部および第２の読取部で読み取った情報を時間情報とあわせて表示する表示部を備えた請求項７または８記載の情報読取装置。
【請求項１０】
表示部は、第１の読取部で読み取った情報と第２の読取部で読み取った情報とが一致している場合に、強調表示を行う請求項９記載の情報読取装置。
【請求項１１】
第１の読取部はラインセンサからなり、第２の読取部はエリアセンサからなり、読取対象としてバーコードの読み取りを行う請求項１から１０のいずれか１項に記載の情報読取装置。
【請求項１２】
第１の読取部はラインＣＣＤセンサからなり、第２の読取部はレーザ式モジュールからなり、読取対象としてバーコードの読み取りを行う請求項１から１０のいずれか１項に記載の情報読取装置。
【発明の詳細な説明】
【技術分野】
【０００１】
本発明は、バーコードや２次元コード等の情報を読み取る情報読取装置に関するものである。
【背景技術】
【０００２】
従来から、携帯可能なハンディタイプのコードリーダとして、１次元コードである例えばバーコードと、２次元コードである例えばマトリックスコードとの両方に対して、読取効率及び及び読取精度を高めるため、１次元ラインセンサ及び２次元エリアセンサの両方を内蔵した情報読取装置が使用され、また、１次元コード用のコードリーダとしても同じく読取効率及び及び読取精度を高めるため、近距離及び精密なコードの読取に適したラインＣＣＤ（Ｃｈａｒｇｅ  Ｃｏｕｐｌｅｄ  Ｄｅｖｉｃｅ）センサと、遠距離の読み取りに適したレーザ式モジュールの両方を内蔵した情報読取装置が使用されている。
【０００３】
このような情報読取装置において、２種類の読取部を適切に駆動させる簡単なひとつの方法として、２種類の読取部を選択させずに同時に駆動させて独立してデコード処理まで行い、デコードが成功したほうのコードデータを有効として使用する方法がある（例えば特許文献１参照）。図３は従来の情報読取装置の構成を示すブロック図である。
【０００４】
図３において、１は第１の読取部であり、ラインセンサ３と、ラインセンサ３からの信号を二値化してデコードを行うラインセンサ用デコード部４とから構成される。２は第２の読取部であり、エリアセンサ５と、エリアセンサ５からの信号を二値化してデコードを行うエリアセンサ用デコード部６とから構成される。また、７はＣＰＵであり第１の読取部１と第２の読取部２を含む情報読取装置の各部の制御を行うものであり、１５はＣＰＵ７に対して第１の読取部１と第２の読取部２の駆動を指示する読取指示部である。
【０００５】
以上のような構成からなる従来の情報読取装置において、読取指示部１５からＣＰＵ７に対して第１の読取部１と第２の読取部２の駆動を行うよう指示を出す。第１の読取部ではラインセンサ３からの情報をラインセンサ用デコード部４にて二値化、デコードを行い、デコードに成功するとＣＰＵ７にコードデータが送られる。同じく第２の読取部ではエリアセンサ５からの情報をエリアセンサ用デコード部６にて二値化、デコードを行い、デコードに成功するとＣＰＵ７に第２の読取部からコードデータが送られるものである。
【特許文献１】特開平９−３１９８１５号公報
【発明の開示】
【発明が解決しようとする課題】
【０００６】
しかしながら、複数の読取部を有する従来のマルチコードリーダでは、独立に２種類の読取部を駆動させて例えば１つのバーコードを読ませた場合、タイミングによっては、２種類の読取部の両方でバーコードを読み取ってしまう場合がある。なお、このような場合に、どちらの読取部で読み取ったかを判別するフラグを設けることも提案されてはいるが、例えば、複数のコードが比較的密集しているような場合には、両方の読取部で同じコードラベルを読み取ったのか、別のコードラベルを読み取ったのかを判断することは困難である。
【０００７】
本発明は、同一情報の重複読み取りを防ぎ、かつ、利便性のある情報読取装置を提供することを目的とする。
【課題を解決するための手段】
【０００８】
上記課題を解決するために、本発明の情報読取装置は、各々独立して情報の読み取りを行う第１の読取部および第２の読取部と、前記第１の読取部および前記第２の読取部で読み取った情報を記憶する記憶部と、前記記憶部に記憶されている前記第１の読取部で読み取った情報と前記第２の読取部で読み取った情報とを比較する比較部とを備え、前記記憶部に記憶されている前記第１の読取部で読み取った情報と前記第２の読取部で読み取った情報とが一致するか否かを検出するものである。
【０００９】
また、本発明の情報読取装置は、記憶部に記憶されている第１の読取部で読み取った情報と第２の読取部で読み取った情報とが一致した場合に情報の読み取りを終了するものである。
【００１０】
また、本発明の情報読取装置は、記憶部に記憶されている第１の読取部で読み取った情報と第２の読取部で読み取った情報とが一致した場合に、一致したことを報知する報知部を備えたものである。
【００１１】
また、本発明の情報読取装置は、記憶部に記憶されている一致した情報の内一方の情報の削除の指示を行う削除指示入力部と、前記削除指示入力部による指示に基づいて前記記憶部に記憶されている情報を削除する制御部とを備えたものである。
【００１２】
また、本発明の情報読取装置は、記憶部に記憶される情報を削除する制御部を備え、前記制御部は、前記記憶部に記憶されている第１の読取部で読み取った情報と第２の読取部で読み取った情報とが一致した場合に、前記記憶部に記憶されている一致した情報の内一方の情報を自動で削除するものである。
【００１３】
また、本発明の情報読取装置は、記憶部に記憶されている第１の読取部で読み取った情報と第２の読取部で読み取った情報の内どちらの情報を削除するかを設定する設定部を備えたものである。
【００１４】
また、本発明の情報読取装置は、時間情報を計時する計時部と、所定の時間間隔情報を保存する所定時間保存部とを備え、制御部は、第１の読取部および第２の読取部で読み取った情報に前記計時部で計時した時間情報を付して記憶部に記憶し、さらに、制御部は、第１の読取部で読み取った情報に付された時間情報と第２の読取部で読み取った情報に付された時間情報との差を演算し、この差が前記所定時間保存部に記憶されている所定の時間間隔以内である場合は記憶部に記憶されている情報の削除を行い、所定の時間間隔を超える場合は記憶部に記憶されている情報の削除を行わないものである。
【００１５】
また、本発明の情報読取装置は、所定時間保存部に記憶する所定の時間間隔情報を任意に設定可能としたものである。
【００１６】
また、本発明の情報読取装置は、第１の読取部および第２の読取部で読み取った情報を時間情報とあわせて表示する表示部を備えたものである。
【００１７】
また、本発明の情報読取装置は、表示部は、第１の読取部で読み取った情報と第２の読取部で読み取った情報とが一致している場合に、強調表示を行うものである。
【００１８】
また、本発明の情報読取装置は、第１の読取部はラインセンサからなり、第２の読取部はエリアセンサからなり、読取対象としてバーコードの読み取りを行うものである。
【００１９】
また、本発明の情報読取装置は、第１の読取部はラインＣＣＤセンサからなり、第２の読取部はレーザ式モジュールからなり、読取対象としてバーコードの読み取りを行うものである。
【発明の効果】
【００２０】
以上のように、本発明の情報読取装置は、第１の読取部で読み取った情報と第２の読取部で読み取った情報とを比較する比較部を備え、第１の読取部で読み取った情報と第２の読取部で読み取った情報とが一致するか否かを検出することにより、同一コード等の情報の重複読み取りを防ぎ、かつ、利便性のある情報読取装置を提供することができる。
【発明を実施するための最良の形態】
【００２１】
以下、本発明の一実施の形態について、図１と図２を用いて説明する。
【００２２】
図１は、本実施の形態の情報読取装置の概要を示すブロック図であり、図２は、情報読取装置の比較部の比較判定処理を示すフローチャートである。
【００２３】
図１において、１は第１の読取部であり、ラインセンサ３とラインセンサ３からの信号を二値化してデコードを行うラインセンサ用デコード部４とから構成される。本実施の形態では、ラインセンサ３として、ラインＣＣＤ（Ｃｈａｒｇｅ  Ｃｏｕｐｌｅｄ  Ｄｅｖｉｃｅ）を用いた。２は第２の読取部であり、エリアセンサ５と、エリアセンサ５からの信号を二値化してデコードを行うエリアセンサ用デコード部６とから構成される。本実施の形態では、エリアセンサとしてエリアＣＣＤを用いた。
【００２４】
また、７はＣＰＵ（Ｃｅｎｔｒａｌ Ｐｒｏｃｅｓｓｉｎｇ Ｕｎｉｔ）であり、第１の読取部１と第２の読取部２を含む情報読取装置を構成する各部の制御を行うものである。そして、８はＣＰＵ７に内蔵されており時間情報を計時する計時部であり、９は第１の読取部１と第２の読取部２で読み取った情報を記憶する記憶部であり、１０はＣＰＵ７の内部に内蔵されており第１の読取部１と第２の読取部２で読み取った情報とを比較する比較部であり、１１は比較部１０の比較結果に基づいて第１の読取部１と第２の読取部２で読み取った情報が一致した場合に一致したことを外部に報知する報知部である。
【００２５】
また、１２は記憶部９に記憶されている一致した情報の内どちらか一方の情報の削除の指示を行う削除指示入力部であり、１３は削除指示入力部１２の指示に基づいて記憶部９に記憶されたデータの削除を行う削除制御部であり、１４は第１の読取部１と第２の読取部２で読み取った情報を計時部８で測定した時間とともに表示する表示部であり、１５はＣＰＵ７に対して第１の読取部１と第２の読取部２の駆動を指示する読取指示部であり、１６は所定時間を保存する所定時間保存部であり、１７は外部機器と通信を行う外部機器Ｉ／Ｆ（ｉｎｔｅｒｆａｃｅ）である。
【００２６】
以上のような構成からなる情報読取装置において、その動作を説明する。
【００２７】
読取指示部１５により、ＣＰＵ７に対して、第１の読取部１および第２の読取部２の駆動を行うよう指示を出す。本実施の形態では、読取指示部１５としてトリガスイッチを用い、トリガスイッチ押下中は読取指示部１５によりＣＰＵ７に対して第１の読取部１と第２の読取部２の駆動を行うよう指示がでるものとした。
【００２８】
そして、ＣＰＵ７から読み取り指示を受けた第１の読取部１では、例えば、バーコード等のコードからラインセンサ３が受光した情報をラインセンサ用デコード部４にて二値化とデコードを行う。なお、第１の読取部１は、読取指示部１５から読取指示が出ている間は、ラインセンサ３からの情報をラインセンサ用デコード部４で二値化とデコードを行うものである。そして、デコードに成功すると、ＣＰＵ７にコードデータを送信する。また、ＣＰＵ７は、前記コードデータに、ＣＰＵ７に内蔵されているタイマである計時部８で計時しているｍｓｅｃ単位の現在時刻と、第１の読取部１から送られてきたことを示すフラグ（本実施の形態ではコードデータの先頭にＸを付加するものとする）を付加して、記憶部９に記憶する。また、表示部１４に記憶部９に記憶する情報を表示する。本実施の形態では表示部１４として１６０×１９２ドットの白黒ドットマトリクスＬＣＤ（Ｌｉｑｕｉｄ Ｃｒｙｓｔａｌ Ｄｉｓｐｌａｙ）を用いた。
【００２９】
同じく、第２の読取部２では、例えば、バーコード等のコードからエリアセンサ５が受光した情報をエリアセンサ用デコード部６にて二値化、デコードを行う。なお、第２の読取部２は、読取指示部１５から読取指示が出ている間は、エリアセンサ５からの情報をエリアセンサ用デコード部６で二値化とデコードを行うものである。そして、デコードに成功すると、ＣＰＵ７へデコードしたコードデータを送信する。また、ＣＰＵ７は、コードデータに、ＣＰＵ７に内蔵されているタイマである計時部８で計時しているｍｓｅｃ単位の現在時刻と、第２の読取部２から送られてきたことを示すフラグ（本実施の形態ではコードデータの先頭にＹを付加するものとする）を付加して、記憶部９に記憶する。また、表示部１４に記憶部９に記憶する情報を表示する。
【００３０】
そして、図２のフローチャートに示すように、比較部１０は、常に記憶部９に格納されるコードデータを監視し、第１の読取部１からのコードデータと直前または直後の第２の読取部２からのコードデータとが一致しているか否か、または、第２の読取部２からのコードデータと直前または直後の第１の読取部１からのコードデータが一致しているか否かを比較する（Ｓ１０１）。
【００３１】
なお、時系列的に、一致したコードデータの間に異なるコードデータが存在する場合には、別のコードラベルを各々独立した第１の読取部１と第２の読取部２で読み取ったと判断する。これにより、第１の読取部１と第２の読取部で重複したコードラベルを読み取ったと誤って判断する事を防ぐことができる。
【００３２】
また、比較部１０は、時系列的に連続した第１の読取部１からのコードデータと第２の読取部２からのコードデータとが一致した場合には、所定時間保存部１６に設定されている所定時間値（単位ｍｓｅｃ）を読み込む。そして、所定時間保存部１６に値が設定されていない（０ｍｓと設定されている）ならば、比較部１０は同じコードデータを各々独立した第１の読取部１と第２の読取部２で重複して読み取ったと判断する（Ｓ１０２）。
【００３３】
なお、比較部１０は、時系列的に連続した第１の読取部１からのコードデータと第２の読取部２からのコードデータとが一致し、所定時間保存部１６に値が設定されている場合には、第１の読取部１からのコードデータに付加されているｍｓｅｃ単位の時刻と、第２の読取部２からのコードデータに付加されているｍｓｅｃ単位の時刻の差を計算し、その差が所定時間保存部１６に設定されている時間未満であれば、同じコードデータを各々独立した第１の読取部１と第２の読取部２で重複して読み取ったと判断する。しかし、その差が所定時間保存部１６に設定されている時間以上であれば、別のコードラベルを各々独立した第１の読取部１と第２の読取部２で読み取ったと判断する（Ｓ１０３）。
【００３４】
そして、所定時間保存部１６に保存する所定時間を適切に設定することにより、時間的に間隔をあけて一致したかどうかが判断でき、同一ラベルを重複して読み取ったのか、例えば別の媒体に取り付けられたような、別のコードラベルを読み取ったのかを識別することができる。
【００３５】
なお、本実施の形態では、所定時間のデフォルト値を２００ｍｓとした。これは手持ち式コードリーダでコードリーダを動かしながら同一のシートにある複数のコードラベルを連続して読み取りさせた実験により得られた経験値に基づくものである。
【００３６】
また、所定時間保存部１６に設定されている所定時間は、外部機器Ｉ／Ｆ１７を用いて外部機器から変更することができる。そして、所定時間保存部１６に設定されている所定時間を変更可能とすることにより、例えば、１枚のシートに複数のコードラベルがあるアプリケーションに適用する場合には所定時間を短く設定し、棚卸作業の様に移動が発生するようなアプリケーションに適用する場合には所定時間を長く設定する等、アプリケーションに応じてきめ細かな設定を行うことができ、これにより作業者の利便性が向上する。
【００３７】
また、所定時間保存部１６として、不揮発性のメモリを用いることにより、設定した値を保存することができ、情報読取装置の電源をＯＮ／ＯＦＦした場合でも、所定時間を保持することができ、作業者の利便性が向上する。
【００３８】
また、本実施の形態の情報読取装置においては、比較部１０が重複した読み取りが発生したと判断すると、ＣＰＵ７は、第１の読取部１と第２の読取部２の駆動を止めて読取を終了させ、併せて、報知部１１を通じて外部に報知する。
【００３９】
このように、読取を終了させることにより、作業者は重複読取が発生した事を知ることができ、作業者の利便性が向上する。また、報知部１１を用いて外部に報知することで、より確実に作業者に重複読取が発生した事を知らせることができ、作業者の利便性がより向上する。なお、本実際の形態では報知部１１としてブザーを用い、重複した読み取りが発生した場合には、５０ｍｓ間隔で３回ブザーが鳴動するものとした。
【００４０】
また、重複した読み取りが発生したと判断した比較部１０は、削除制御部１３に重複した読み取りが発生したことを伝える。
【００４１】
そして、この削除制御部１３は、削除手段設定部１８の設定により、重複した読み取りが発生したと比較部１０が判断した記憶部９に記憶している第１の読取部１から送られてきたコードデータに関する情報と、第２の読取部２から送られたきたコードデータに関する情報のうち、第１の読取部１から送られたきたコードデータに関する情報の削除を、手動で行うか、自動で行うかを決定する。なお、本実施の形態では、削除手段設定部１８としてＥＥＰＲＯＭを用い、このＥＥＰＲＯＭ内の特定アドレスの値が、１の時は手動による削除、２の時は自動削除を行うものとした。
【００４２】
このように、削除手段設定部１８を備えることにより、用途に応じた削除手段を選択することができ、作業者の利便性がより向上する。
【００４３】
なお、削除手段設定部１８に記憶されている削除方法として、手動による削除が設定されている場合には、削除制御部１３は削除指示入力部１２からの指示を待つ。すなわち、報知部１１からの報知で重複読取が発生したことを知らされた作業者が、削除指示入力部１２より削除制御部１３に削除指示を出すことにより、重複した読取りが発生したと比較部１０が判断した記憶部９に記憶している第１の読取部１から送られたきたコードデータに関する情報と前記第２の読取部２から送られたきたコードデータに関する情報のうち、第１の読取部１から送られたきたコードデータに関する情報の削除を行う。
【００４４】
また、本実施の形態では、削除指示入力部１２としてテンキー（「０」〜「９」までの数字がある１０個のキー）を用いることとし、「１」キーを押下することで第１の読取部１から送られたきたコードデータに関する情報の削除を行うものとした。
【００４５】
以上により、第１の読取部１と第２の読取部２で重複したコードラベルを読み取ったときに、コードラベルの情報を重複して記憶することを防ぐことができる。
【００４６】
また、前述したように、表示部１４には、第１の読取部１から送られてくるコードデータに、ＣＰＵ７に内蔵されたタイマを用いた計時部８で計時しているｍｓｅｃ単位の現在時刻と、第１の読取部１から送られてきたことを示すフラグを付加したものと、第２の読取部２から送られてくるコードデータに、ＣＰＵ７に内蔵されたタイマを用いた計時部８で計時しているｍｓｅｃ単位の現在時刻と、第２の読取部２から送られてきたことを示すフラグを付加したものが表示されている。
【００４７】
これにより、作業者は、本当に削除すべき情報か否かを前後の情報及びコードラベルを読み取った時刻を確認して判断することもでき、重複読み取りか否かの判断をより正確に行う事ができる。
【００４８】
また、比較部１０が、重複した読み取りが発生したと判断した場合、ＣＰＵ７は、重複したと判断された第１の読取部１から送られてくるコードデータに、ＣＰＵ７に内蔵されたタイマを用いた計時部８で計時しているｍｓｅｃ単位の現在時刻と、第１の読取部１から送られてきたことを示すフラグを付加したものと、第２の読取部２から送られてくるコードデータに、ＣＰＵ７に内蔵されたタイマを用いた計時部８で計時しているｍｓｅｃ単位の現在時刻と、第２の読取部２から送られてきたことを示すフラグを付加した部分を反転表示させる。
【００４９】
このようにすることで、作業者は、重複した情報を容易に確認することができ、作業者の利便性がより向上する。
【００５０】
また、削除手段設定部１８に記憶されている削除方法として、自動削除が設定されている場合には、削除制御部１３は、比較部１０から重複した読み取りが発生したと伝えられると、重複した読み取りが発生したと比較部１０が判断した記憶部９に記憶している第１の読取部１から送られたきたコードデータに関する情報と第２の読取部２から送られたきたコードデータに関する情報のうち、第１の読取部１から送られたきたコードデータに関する情報の削除を自ら行う。
【００５１】
これにより、作業者の削除指示入力が不要となり、作業者の利便性がさらに向上する。
【００５２】
なお、本実施の形態では、第１の読取部１を、ラインセンサ３とラインセンサ用デコード部４とで構成し、第２の読取部２を、エリアセンサ５とエリアセンサ用デコード部６とで構成したが、第１の読取部１と第２の読取部２で同じコードラベルが読み取れるようになっていれば特にその構成は問わない。
【００５３】
また、本実施の形態では、報知部１１として、ブザーを用いたが、ＬＥＤ（Ｌｉｇｈｔ Ｅｍｉｔｔｉｎｇ Ｄｉｏｄｅ）、バイブレータなど作業者に報知できるものであれば何でも構わない。
【００５４】
また、本実施の形態では、計時部８としてＣＰＵ７に内蔵されたタイマを用い現在時刻を計時したが、情報読取装置の電源が投入されてからの時間をタイマでカウントしていても構わないし、ＣＰＵ７の外部にタイマＩＣ（Ｉｎｔｅｇｒａｔｅｄ Ｃｉｒｃｕｉｔ）や時計ＩＣを設けても構わない。
【００５５】
また、本実施の形態では、読取指示部１５としてトリガスイッチを用いたが、読取指示が出せるものであれば、例えば単なるキーでもタッチパネルであっても構わない。
【００５６】
また、本実施の形態では、削除指示入力部１２としてテンキーを用いたが、読取指示が出せるものであれば、例えば、単なるキーでもタッチパネルであっても構わない。
【００５７】
また、本実施の形態では、削除手段設定部１８としてＥＥＰＲＯＭを用いたが、他の不揮発性メモリであっても構わないし、ディップスイッチのようなものであっても構わない。
【００５８】
また、本実施の形態では、表示部１４として白黒ドットマトリクスＬＣＤを用い、情報の表示ができるものであれば、何でも構わない。
【００５９】
また、本実施の形態では、重複読取が発生したと判断された情報を、表示部１４に反転表示させたが、例えば、字体の変更や下線を付ける等、情報の強調表示ができるものであれば何でも構わない。
【産業上の利用可能性】
【００６０】
本発明の情報読取装置は、第１の読取部で読み取った情報と第２の読取部で読み取った情報とを比較する比較部とを備え、記憶部に記憶されている第１の読取部で読み取った情報と第２の読取部で読み取った情報とが一致するか否かを検出することにより、重複読み取りを防ぎ、かつ、利便性のある情報読取装置を提供することができ、様々な環境下において使用されるコードリーダやハンディターミナル等として有用である。
【図面の簡単な説明】
【００６１】
【図１】実施の形態における情報読取装置の概略構成を示すブロック図
【図２】実施の形態における情報読取装置の比較部の比較判定処理を示すフローチャート
【図３】従来の情報読取装置の構成を示すブロック図
【符号の説明】
【００６２】
１  第１の読取部
２  第２の読取部
３  ラインセンサ
４  ラインセンサ用デコード部
５  エリアセンサ
６  エリアセンサ用デコード部
７  ＣＰＵ
８  計時部
９  記憶部
１０  比較部
１１  報知部
１２  削除指示入力部
１３  削除制御部
１４  表示部
１５  読取指示部
１６  所定時間保存部
１７  外部機器Ｉ／Ｆ
１８  削除手段設定部
【図１】
2005301720.tif 000003
【図２】
2005301720.tif 000004
【図３】
2005301720.tif 000005